(57)【要約】【課題】本発明は、着せ替え前後で車両感覚が変わらず、運転の習熟が容易な着せ替え式車両を提供する。【解決手段】本発明の着せ替え式車両は、複数のボデー群から選択した一つのボデー群を車体構造体に取付けた状態において、それぞれの車両の全長寸法と、全幅寸法と、が略同一であり、前記複数のボデー群から選択した一つのボデー群の総重量がそれぞれ略同一とすることによって、車両感覚が大きく変わってしまうことを防止している。【選択図】図１
2015077950.tif 000002
【特許請求の範囲】
【請求項１】
同一の車体構造体に複数のボデー群から選択された一のボデーを装着する着せ替え式車両であって、
前記ボデー群に含まれるそれぞれのボデーを前記車体構造体に組み付けた状態で、その全長寸法、全幅寸法は所定の改変許容範囲内であり、
それぞれのボデーの全体形状およびこれを構成する各部材は、互いに異なることが許容されるが、
前記ボデー群に含まれるいずれのボデーの全長および全幅も予め規制された閾値内である、
ことを特徴とする着せ替え式車両。
【請求項２】
前記複数のボデー群から選択された一のボデーの総重量が、それぞれ略同一である、
ことを特徴とする請求項１に記載の着せ替え式車両。
【発明の詳細な説明】
【技術分野】
【０００１】
本発明は、同一の車体構造体に、複数のボデー群から選択された一群のボデーを装着する、着せ替え式車両に関する。
【背景技術】
【０００２】
着せ替え式車両の構造としては、同一のフレームに複数のタイプの車体が変更可能に取付けられるものや、車体下部を構成するアンダー部材を合成樹脂で形成し、ピラー部材、車体上部を構成する車体パネル部材など複数の部材を、前記アンダー部材に接合固定した車体構造とすることにより、アンダー部材の剛性と強度を向上させ、パネル部材の取付け剛性も向上させたものがある。
【０００３】
上記着せ替え式車両の構造によれば、車両を買い換えることなく、異なるタイプの車体を得ることが可能であり、また、実用に耐え得る剛性と強度を得ることができる。
【０００４】
しかしながら、異なるタイプの車両に交換した場合の車両寸法については触れられておらず、別タイプの車両に乗り換えた場合に、運転者が車両感覚を身につけ、運転に慣れるまでに時間を要する等の問題点がある。
【０００５】
例えば、特許文献１は、車体前部において、車体前部空間と車室を仕切るダッシュパネルよりも車室側には各種車両用補機類に対応するダッシュパネルの少なくとも一部分が、この一部分を除く他のダッシュパネル部分に対して開閉または脱着自在に取付けられている。このため、同一のフレームに複数のタイプの車体が変更可能に取付けることができる。
【０００６】
また、特許文献２は、車体下部を構成するアンダー部材を合成樹脂で形成し、ピラー部材や、車体上部を構成する車体パネル部材など複数の部材を、上記アンダー部材に接合固定する車体構造とすることにより、アンダー部材の剛性と強度が向上し、パネル部材の取付け剛性も向上され、パネル部材を交換することによって異なるタイプの車両を得ることが可能な構造となっている。しかしながら、特許文献１および特許文献２の車両構造においては、タイプ毎の車両の寸法については触れられておらず、車両の寸法が変化した場合に、車両感覚が変わることによって、運転者が運転の習熟に時間を要する等の問題が残る。
【先行技術文献】
【特許文献】
【０００７】
【特許文献１】実開平３−３８２８７号公報
【０００８】
【特許文献２】特開平１−１１１５７５号公報
【発明の概要】
【発明が解決しようとする課題】
【０００９】
以上の問題に鑑みて本発明は創作されたものであり、本発明は、着せ替え式車両において、着せ替え前後で車両感覚が変わらず、運転が容易な車両の提供を目的とした。
【課題を解決するための手段】
【００１０】
上述した課題を解決すべく提供される本発明の着せ替え式車両は、同一の車体構造体に複数のボデー群から選択された一のボデーを装着する着せ替え式車両（車両構造体は同一であり、ボデーは種々のタイプが準備され、そのうち1タイプのボデーを車両構造体に装着する、着せ替え式車両を意味する）であって、前記ボデー群に含まれるそれぞれのボデーを前記車体構造体に組み付けた状態で、その全長寸法、全幅寸法は所定の改変許容範囲内であり、それぞれのボデーの全体形状およびこれを構成する各部材は、互いに異なることが許容されるが、前記ボデー群に含まれるいずれのボデーの全長および全幅も予め規制された閾値内である。
【００１１】
本着せ替え車両によれば、走行に必要な動力装置、パワートレイン、車体骨格、シャシ、車輪、操縦手段、搭乗空間などを備えた車体構造体と、前記車体構造体に脱着可能な複数のボデー群と、を有し、前記複数のボデー群から選択した一のボデー群を車体構造体に取付けた状態において、それぞれの車両の全長寸法と、全幅寸法と、が略同一である。
【００１２】
換言すれば、前記複数のボデー群から選択した一のボデー群を車体構造体に装着した車両からボデー群を取外し、異なるボデー群を選択して装着した場合においても、全長寸法と、全幅寸法と、が同一であるか、変化量が小さく、所定の改変許容範囲内に収まる。
【００１３】
上述した構成とすることにより、着せ替え前後で車両感覚が変わらず、運転が容易な着せ替え式車両を提供することが可能となる。
【００１４】
また、前記複数のボデー群から選択された一のボデーの総重量は、それぞれ略同一が好ましい。結果として、着せ替えを行った場合でも車両の基本重量が略変化しないこととすると着せ替えごとに運転感覚や燃費が変化しない。したがって、一般に運転者が感じる車両乗り換え時の違和感やストレスがなく運転に集中することができる。このことは安全性の観点からも好ましい。さらに、通常、パーツ交換でイメージされる重量増による燃費変化も少ないためこの点でも有利である。
【発明の効果】
【００１５】
本発明によれば、着せ替え前後で車両感覚が変わらず、運転が容易な着せ替え式車両を提供することができる。
【図面の簡単な説明】
【００１６】
【図１】本発明の一実施形態に係る着せ替え式車両（A）の図である。
【図２】本発明の一実施形態に係る着せ替え式車両の、着せ替え後の車両（B）の図である。
【図３】車体構造体に、ボデー群を構成する部材を装着する過程と、組付点の一部を示す略図である。
【図４】ボデー群を構成する部材と、各々の組付点を示す略図である。
【発明を実施するための形態】
【００１７】
以下、本発明の一実施形態に係る着せ替え式車両１０について、図面を参照しつつ詳細に説明する。図１に示すように、着せ替え式車両１０は、図３に示す車体構造体３０に、複数のボデー群から選択した一のボデー群を装着する点に特徴を有するため、これに着目して説明する。
尚、図１〜４において、下２桁が同一な番号は、同種の部品を示している。
【００１８】
図１に示すように、着せ替え式車両（A）１０は、図３に示す車体構造体３０に一つのボデー群を装着して構成される。
【００１９】
そして、前記ボデー群を構成する部材は、ドア部２０と、図示しないルーフ部と、エンジンフード部２２と、トランクリッド部２３と、前輪フェンダ部２４と、後輪フェンダ部２５と、前部バンパ部２７と、図示しない後部バンパ部と、ロッカーパネル部２９と、に大別される。
【００２０】
図３に示すように、ボデー群を構成する各々の部材は車体構造体３０に脱着可能であり、図４に示す前記車体構造体に予め所定位置に設けている組付点３５、３６，３７，３８，３９と４０を利用して、前記ボデー群を構成する部材をネジ止めや嵌合（スナップ止め等）で装着する。
【００２１】
図１に示す着せ替え式車両（A）１０から、図２に示す着せ替え式車両（B）１２へ着せ替える工程では、ボデー群を構成する部材であるドア部２０と、前輪フェンダ部２４と、後輪フェンダ部２５と、さらに他にボデー群を構成する部材を車体構造体３０から取外す。
【００２２】
上記の工程により、図１に示した着せ替え式車両１０は、図３に示す車体構造体３０のみの状態となる。
【００２３】
次に、図２に示した着せ替え式車両（B）１２を構成するボデー群を用意し、車体構造体３０へ順次装着することにより、図２に示す車両（B）への着せ替えが完了する。
【００２４】
尚、ボデー群を構成する全ての部材を交換する必然性はなく、ドア部２０及び／又は図示しないルーフ部を残して他の部材のみを交換する一部交換のごとき、他の実施形態も考えられる。
【００２５】
図１に示す着せ替え式車両（A）と、図２に示す着せ替え式車両（B）と、で全長寸法を略同一にする手段としては、一例として、複数のボデー群を構成する部材のうち、着せ替え式車両の全長寸法に関わる部材（前後バンパ部材等）において、車体構造体３０に対して前記全長寸法に関わる部材を装着する際に、図１の車両と、図２の車両と、で共通して使用される組付点に固定される箇所から、該部材の車両前後方向の端部まで、の寸法を略同一に設定しておけばよい。
【００２６】
例えば、前部バンパ部に設けた、組付点３９に固定される箇所から、前部バンパ部前端部までの、車両前後方向の寸法を略同一に設定し、後部バンパ部に設けた、組付点４０に固定される箇所から、後部バンパ部後端部までの、車両前後方向の寸法を略同一に設定しておく。
【００２７】
前記の手段によれば、図１の車両の全長寸法LAと、図２の車両の全長寸法LBと、を簡易な方法で略同一に設定可能である。
【００２８】
また、図１に示す着せ替え式車両（A）と、図２に示す着せ替え式車両（B）と、で全幅寸法を略同一にする手段としては、上記の手段と同様に、複数のボデー群を構成する部材のうち、着せ替え式車両の全幅寸法に関わる部材（左右フェンダ部材等）において、車体構造体３０へ前記部材を装着する際に、図１の車両と、図２の車両と、で共通して使用する組付点に固定される箇所から、該部材の車幅方向の端部まで、の寸法を略同一に設定しておけばよい。
【００２９】
例えば、車幅が最大となる箇所が前輪フェンダ部である場合、車両左側の前輪フェンダ部に設けた、組付点３５cに固定される箇所から、左側の前輪フェンダ部材左端部までの、車幅方向の寸法を略同一に設定し、車両右側の前輪フェンダ部に設けた、図示しない組付点３５gに固定される箇所から、右側の前輪フェンダ部材右端部までの、車幅方向の寸法を略同一に設定しておく。
【００３０】
前記の手段によれば、図１の車両の全幅寸法WAと、図２の車両の全幅寸法WBと、を簡易な方法で略同一に設定可能である。
【００３１】
以上、本発明の着せ替え式車両についての実施形態について説明してきたが、本発明はこれに限定されるものではなく、特許請求の範囲および明細書等に記載の精神や教示を逸脱しない範囲で他の変形例、改良例が得られることが当業者は理解できるであろう。
【符号の説明】
【００３２】
１０  着せ替え式車両（A）
１２  着せ替え式車両（B）
２０  ドア部
２２  エンジンフード部
２３  トランクリッド部
２４  前輪フェンダ部
２５  後輪フェンダ部
２７  前部バンパ部
２９  ロッカーパネル部
３０  車体構造体
３５  前輪フェンダ部の組付点
３６  ボデー群を構成する一部材の組付点
３７  ロッカーパネル部の組付点
３８  後輪フェンダ部の組付点
３９  前部バンパ部の組付点
４０  後部バンパ部の組付点
１２０  着せ替え式車両（B）のドア部
１２２  着せ替え式車両（B）エンジンフード部
１２３  着せ替え式車両（B）トランクリッド部
１２４  着せ替え式車両（B）前輪フェンダ部
１２５  着せ替え式車両（B）後輪フェンダ部
１２７  着せ替え式車両（B）前部バンパ部
１２８  着せ替え式車両（B）後部バンパ部
１２９  着せ替え式車両（B）サイドステップ
LA   着せ替え式車両（A）の全長寸法
LB   着せ替え式車両（B）の全長寸法
WA   着せ替え式車両（A）の全幅寸法
WB  着せ替え式車両（B）の全幅寸法
【図１】
2015077950.tif 000003
【図２】
2015077950.tif 000004
【図３】
2015077950.tif 000005
【図４】
2015077950.tif 000006